【手続補正書】
【提出日】平成17年6月17日(2005.6.17)
【手続補正１】
【補正対象書類名】明細書
【補正対象項目名】全文
【補正方法】変更
【補正の内容】
【書類名】明細書
【発明の名称】紙おむつ用テープファスナーの製造方法およびテープファスナーの取付方法
【特許請求の範囲】
【請求項１】紙おむつの背側両側のフラップに対して固定されものであり、
片面に粘着面を有し基端部が前記フラップの裏面に当該粘着面を介して固定される止着テープと、この止着テープの先端部の粘着面に接合された非粘着性のタブと、片面に粘着面を他面に剥離面を有し基端部が前記フラップの表面に当該粘着面を介して固定される剥離テープとを有し、
前記剥離テープの先端部が前記フラップの側縁を越えて前記止着テープの粘着面と接合され、この接合部において前記止着テープおよび剥離テープが前記フラップの表面側に折り返され、前記止着テープの粘着面が剥離テープの剥離面に仮着され、紙おむつの装着時において前記タブを摘んで前記止着テープを前記剥離テープから剥離して、この止着テープを紙おむつ腹側の外面に接合するテープファスナーの製造方法であって；
幅広の止着テープ素材の粘着面側の幅方向中心部にタブ素材を配置し、その外面から前記止着テープ素材の半幅より狭幅の１対の剥離テープ素材を前記中央部において離間させて配置し、
前記各剥離テープ素材は、その剥離面を止着テープ素材の粘着面側に向け、かつ幅方向内方縁を前記タブ素材の側縁と揃えるかまたは重ならせ、幅方向外方側部を剥離面相互が重なるように折り返してこの折り返し部分を止着テープ素材の粘着面側に向けた状態となして、止着テープ素材、タブ素材および剥離テープ素材を重合したテープ複合体を形成し、
次いで、前記テープ複合体の幅方向の中心部を挟んで線対称の２本の、山の頂部が前記タブ素材に位置し、かつ谷の底部が剥離テープまたは前記折り返し部分を越えて止着テープ部に達する波形の、テープの長手方向に延在する波形切断線と、
前記谷の中央を通りテープ複合体の幅方向の横切断線とによってテープ複合体を切断して個別のテープファスナーを得ることを特徴とするテープファスナーの製造方法。
【請求項２】紙おむつの背側両側のフラップに対して固定されものであり、
片面に粘着面を有し基端部が前記フラップの裏面に当該粘着面を介して固定され、かつ先端部に非粘着性のタブ部を有する止着テープと、片面に粘着面を他面に剥離面を有し基端部が前記フラップの表面に当該粘着面を介して固定される剥離テープとを有し、
前記剥離テープの先端部が前記フラップの側縁を越えて前記止着テープの粘着面と接合され、この接合部において前記止着テープおよび剥離テープが前記フラップの表面側に折り返され、前記止着テープの粘着面が剥離テープの剥離面に仮着され、紙おむつの装着時において前記タブ部を摘んで前記止着テープを前記剥離テープから剥離して、この止着テープを紙おむつ腹側の外面に接合するテープファスナーの製造方法であって；
幅広の止着テープ素材の粘着面側の幅方向中心部に粘着性を示さない非粘着性のタブ形成部を形成しておき、その外面から前記止着テープ素材の半幅より狭幅の１対の剥離テープ素材を前記中央部において離間させて配置し、
前記各剥離テープ素材は、その剥離面を止着テープ素材の粘着面側に向け、かつ幅方向内方縁を前記タブ形成部の側縁と揃えるかまたは重ならせ、幅方向外方側部を剥離面相互が重なるように折り返してこの折り返し部分を止着テープ素材の粘着面側に向けた状態となして、止着テープ素材および剥離テープ素材を重合したテープ複合体を形成し、
次いで、前記テープ複合体の幅方向の中心部を挟んで線対称の２本の、山の頂部が前記タブ形成部に位置し、かつ谷の底部が剥離テープまたは前記折り返し部分を越えて止着テープ部に達する波形の、テープの長手方向に延在する波形切断線と、
前記谷の中央を通りテープ複合体の幅方向の横切断線とによってテープ複合体を切断して個別のテープファスナーを得ることを特徴とするテープファスナーの製造方法。
【請求項３】請求項１または２記載の前記テープ複合体の横切断により分離された１対の個別のテープファスナーを紙おむつの背側両側のフラップに対して固定することを特徴とする紙おむつ用テープファスナーの取付方法。
【発明の詳細な説明】
【０００１】
【発明の属する技術分野】
本発明は、使い捨ておむつ、おむつカバーなどの紙おむつに使用するテープファスナーの製造方法およびその取付方法に関する。
【０００２】
【従来の技術】
従来、テープ原反より無駄なくテープファスナーを製造方法として、代表的に特開昭６３−２４９７０４号公報、特にその第１Ａ図および第２Ｂ図に開示されている。
【０００３】
【発明が解決しようとする課題】
しかしながら、この方法により製造されるテープファスナーは、フラップの裏面および表面をテープ要素によりＹ字状にサンドイッチするいわゆるＹ字テープ構造のものではない。Ｙ字テープ構造のものを得るためには紙おむつの左右に対応してそれぞれテープ複合体を得て、これを所定形状に切断することが必要であった。
【０００４】
そこで、本発明の主たる課題は、１つのテープ複合体から紙おむつの左右フラップに対応するＹ字テープ構造を与えるテープファスナーを得ることができるようにするとともに、このテープファスナーを能率的に製造でき、しかも付け根部の紙おむつの長手方向に沿う幅を短くすることが可能な方法を提供することにある。
【０００５】
【課題を解決するための手段】
前記課題を解決した本発明の請求項１記載の発明は、紙おむつの背側両側のフラップに対して固定されものであり、
片面に粘着面を有し基端部が前記フラップの裏面に当該粘着面を介して固定される止着テープと、この止着テープの先端部の粘着面に接合された非粘着性のタブと、片面に粘着面を他面に剥離面を有し基端部が前記フラップの表面に当該粘着面を介して固定される剥離テープとを有し、
前記剥離テープの先端部が前記フラップの側縁を越えて前記止着テープの粘着面と接合され、この接合部において前記止着テープおよび剥離テープが前記フラップの表面側に折り返され、前記止着テープの粘着面が剥離テープの剥離面に仮着され、紙おむつの装着時において前記タブを摘んで前記止着テープを前記剥離テープから剥離して、この止着テープを紙おむつ腹側の外面に接合するテープファスナーの製造方法であって；
幅広の止着テープ素材の粘着面側の幅方向中心部にタブ素材を配置し、その外面から前記止着テープ素材の半幅より狭幅の１対の剥離テープ素材を前記中央部において離間させて配置し、
前記各剥離テープ素材は、その剥離面を止着テープ素材の粘着面側に向け、かつ幅方向内方縁を前記タブ素材の側縁と揃えるかまたは重ならせ、幅方向外方側部を剥離面相互が重なるように折り返してこの折り返し部分を止着テープ素材の粘着面側に向けた状態となして、止着テープ素材、タブ素材および剥離テープ素材を重合したテープ複合体を形成し、
次いで、前記テープ複合体の幅方向の中心部を挟んで線対称の２本の、山の頂部が前記タブ素材に位置し、かつ谷の底部が剥離テープまたは前記折り返し部分を越えて止着テープ部に達する波形の、テープの長手方向に延在する波形切断線と、
前記谷の中央を通りテープ複合体の幅方向の横切断線とによってテープ複合体を切断して個別のテープファスナーを得ることを特徴とするテープファスナーの製造方法である。
【０００６】
請求項２記載の発明は、紙おむつの背側両側のフラップに対して固定されものであり、
片面に粘着面を有し基端部が前記フラップの裏面に当該粘着面を介して固定され、かつ先端部に非粘着性のタブ部を有する止着テープと、片面に粘着面を他面に剥離面を有し基端部が前記フラップの表面に当該粘着面を介して固定される剥離テープとを有し、
前記剥離テープの先端部が前記フラップの側縁を越えて前記止着テープの粘着面と接合され、この接合部において前記止着テープおよび剥離テープが前記フラップの表面側に折り返され、前記止着テープの粘着面が剥離テープの剥離面に仮着され、紙おむつの装着時において前記タブ部を摘んで前記止着テープを前記剥離テープから剥離して、この止着テープを紙おむつ腹側の外面に接合するテープファスナーの製造方法であって；
幅広の止着テープ素材の粘着面側の幅方向中心部に粘着性を示さない非粘着性のタブ形成部を形成しておき、その外面から前記止着テープ素材の半幅より狭幅の１対の剥離テープ素材を前記中央部において離間させて配置し、
前記各剥離テープ素材は、その剥離面を止着テープ素材の粘着面側に向け、かつ幅方向内方縁を前記タブ形成部の側縁と揃えるかまたは重ならせ、幅方向外方側部を剥離面相互が重なるように折り返してこの折り返し部分を止着テープ素材の粘着面側に向けた状態となして、止着テープ素材および剥離テープ素材を重合したテープ複合体を形成し、
次いで、前記テープ複合体の幅方向の中心部を挟んで線対称の２本の、山の頂部が前記タブ形成部に位置し、かつ谷の底部が剥離テープまたは前記折り返し部分を越えて止着テープ部に達する波形の、テープの長手方向に延在する波形切断線と、
前記谷の中央を通りテープ複合体の幅方向の横切断線とによってテープ複合体を切断して個別のテープファスナーを得ることを特徴とするテープファスナーの製造方法である。
【０００７】
請求項３記載の発明は、請求項１または２記載の前記テープ複合体の横切断により分離された１対の個別のテープファスナーを紙おむつの背側両側のフラップに対して固定することを特徴とする紙おむつ用テープファスナーの取付方法である。
【０００８】
【発明の実施の形態】
＜第１の実施の形態＞
本発明に係るテープファスナーの製造工程の流れを、図１を参照に説明する。  止着テープユニット１にて、片面に粘着剤が塗布されたテープ原反２を展開しながら止着テープ素材３を繰り出す。
【０００９】
一方、タブテープスプライスユニット４にて、タブテープ原反５を展開しつつ非粘着性のタブテープ素材６を繰り出す。前記タブテープ素材６は、タブテープダンサーユニット７およびタブテープ２次ユニット８を介して、テープフィードラップロール９にて連続的に止着テープ素材３に対して貼りつけられる。
【００１０】
他方、止着テープ素材３およびタブテープ素材６とは別に、剥離テープスプライスユニット１０にて剥離テープ原反１１から剥離テープ素材１２を展開し、剥離テープＹ字ユニット１３にて、幅方向の側縁部を折り返され、タブテープ素材６と同様に、テープフィードラップロール６にて止着テープ素材３に対して重合接着してテープ複合体２２が得られる。
【００１１】
次いで、ダイカッターユニット１４にて波形切断線により切断し、トリミング捨て部１５を分離した後に、バキュームコンベアーユニット１６，１６、ターンパーユニット１７、フィードロールユニット１８、ダンサーロールユニット１９を介して、テープカッターユニット２０へ送られ横方向に切断され、個別のテープファスナーＴＦが製造される。
【００１２】
本願発明に係るテープファスナーの製造工程の概略は、上述の通りであるが、以下、更に具体的に本発明を説明する。
【００１３】
テープ複合体２２を得るに際しては、第２図および第３図に示すように、幅広の止着テープ素材３の粘着面３Ａ側の幅方向中心部に、タブ素材６を配置し、その外面から止着テープ素材３の半幅より狭幅の１対の剥離テープ素材１２，１２を前記中央部において離間させて配置し、前記各剥離テープ素材１２,１２は、その剥離面１２Ｂを止着テープ素材３の粘着面３Ａ側に向け、粘着面１２Ａを外面側に向け、かつ幅方向内方縁１２Ｃを前記タブ素材６の側縁と揃えるかまたは図示のように重ならせ、幅方向外方側部を剥離面１２Ｂ相互が重なるように折り返してこの折り返し部分１２Ｄを止着テープ素材３の粘着面３Ａ側に向けた状態となして、止着テープ素材３、タブ素材６および剥離テープ素材１２を重合したテープ複合体２２を形成する。
【００１４】
次いで、前記テープ複合体２２の幅方向の中心部を挟んで線対称の２本の、山の頂部が前記タブ素材６に位置し、かつ谷の底部が剥離テープ１２または図示のように前記折り返し部分１２Ｄを越えて止着テープ素材３に達する波形の、テープの長手方向に延在する波形切断線２８と、前記谷の中央を通りテープ複合体２２の幅方向の横切断線３１とによってテープ複合体２２を切断して個別のテープファスナーＴＦを得る。
【００１５】
前記テープ複合体２２の横切断により分離された１対の個別のテープファスナーＴＦ,ＴＦは、第４図および第５図のように、紙おむつ４０の背側両側の、たとえば不透液性バックシートＦ１と透液性トップシートＦ２が重合されたフラップＦに対して次のように固定される。すなわち、片面に粘着面３Ａを有する止着テープ３は、その基端部が前記フラップＦの裏面、実施の形態においては不透液性バックシートＦ１に当該粘着面３Ａを介して固定される。この止着テープ３の先端部の粘着面３Ａには非粘着性のタブ６が接合される。他方、片面に粘着面１２Ａを他面に剥離面１２Ｂを有する剥離テープ１２は、その基端部がフラップＦの表面、実施の形態においては透液性トップシートＦ２に当該粘着面１２Ａを介して固定される。
【００１６】
さらに、前記剥離テープ３の先端部は前記フラップＦの側縁を越えて止着テープ３の粘着面３Ａと接合され、この接合部において止着テープ３および剥離テープ１２がフラップＦの表面側に折り返され、止着テープ３の粘着面３Ａが剥離テープ１２の剥離面１２Ｂに仮着される。かかるテープファスナーＴＦを有する紙おむつ４０においては、紙おむつ４０の装着時に、前記タブ６を摘んで止着テープ３を剥離テープ１２から剥離して、この止着テープ３を紙おむつ４０腹側の外面に直接、または実施の形態のように、バックシートＦ１に貼着したたとえば補強フロントシート４１に止着する。
【００１７】
＜第２の実施の形態＞
上記第１の実施の形態においては、タブ素材６を設けることにより摘み部を形成したものである。しかるに、前記タブ素材６を敢えて形成することなく、前記タブ素材６に相当する部分を、粘着剤を塗布しない非粘着性のタブ形成部として、第１の実施の形態のように切断できる。タブ形成部を通る波形切断線による山の頂部が止着テープの非粘着性のタブ部となる。この第２の実施の形態は、明らかであるので図示しない。
【００１８】
（作用効果）
本発明によれば、上述のように、１つのテープ複合体から紙おむつの左右フラップに対応するＹ字テープ構造を与えるテープファスナーを得ることができる。したがって、この観点からテープファスナーを能率的にかつ低廉なコストで製造できる。また、前述の特開昭６３−２４９７０４号公報、特にその第１Ａ図および第２Ｂ図に示される形態においては、止着テープの止着部の紙おむつの長手方向に沿う幅に対して、紙おむつへの固定部分（付け根部）の紙おむつの長手方向に沿う幅は必然的に２倍となる。したがって、必要な止着強度を得るために必要な幅に対して、止着テープの固定部分（付け根部）の幅が必要以上に大きくなり、材料コストの増大を招くばかりでなく、剛性を有する固定部分（付け根部）の幅方向エッジにより装着者または着用者の肌を傷つけることがある。しかるに、本発明によれば、波形切断線２８の山幅を大きく、谷幅を小さくすることで、かかる問題を一挙に解決できる。
【００１９】
【発明の効果】
以上のとおり、本発明によれば、１つのテープ複合体から紙おむつの左右フラップに対応するＹ字テープ構造を与えるテープファスナーを得ることができるとともに、このテープファスナーを能率的に製造でき、しかも付け根部の紙おむつの長手方向に沿う幅を短くすることが可能となる。
【図面の簡単な説明】
【図１】
本発明に係るテープファスナー製造フローを示す説明図である。
【図２】
本発明に係るテープファスナー複合体の例の平面図である。
【図３】
その断面図である。
【図４】
テープファスナーの紙おむつへの取付状態断面図である。
【図５】
テープファスナーの紙おむつへの取付状態斜視図である。
【符号の説明】
１…止着テープユニット、２…止着テープ原反、３…止着テープ（素材）、３Ａ…粘着面、４…タブテープスプライスユニット、５…タブテープ原反、６…タブテープ（素材）、７…タブテープダンサーユニット、８…タブテープ２次ユニット、９…テープフィードラップロール、１０…剥離テープスプライスユニット、１１…剥離テープ原反、１２…剥離テープ（素材）、１２Ａ…粘着面、１２Ｂ…剥離面、１２Ｄ…折り返し部分、１３…剥離テープＹ字ユニット、１４…ダイカッターユニット、１５…捨て部、１６…バキュームコンベアーユニット、１７…ターンパーユニット、１８…フィードロールユニット、１９…ダンサーロールユニット、２０…テープカッターユニット、２２…テープ複合体、２８…波形切断線、３１…横切断線、４０…紙おむつ、４１…補強フロントシート、ＴＦ…テープファスナー。
【手続補正２】
【補正対象書類名】図面
【補正対象項目名】図４
【補正方法】変更
【補正の内容】
【図４】
2000189461.tif 000001